(57)【要約】【課題】使用の有無が目視によって容易に確認できるペットボトルを得る。【解決手段】内周に雌ねじ（２６ａ）を有するキャップ本体（２６）と、内周下部に軸心方向に突出する係止片（２７ａ）を円周方向に所定ピッチで有するリング状のタンパーエビデントバンド（２７）とを上下に配置するとともに、両者を多数のブリッジ（２８）で連結し、ペットボトル本体（１６）の口部（１８）の外周に、前記キャップ本体（２６）の雌ねじ（２６ａ）が螺合する雄ねじ（１９）と、前記係止片（２７ａ）が係合する鍔部（２０）とを上下に設け、前記鍔部（２０）の下方に位置する口部（１８）の下部に前記タンパーエビデントバンド（２７）が下方に移動可能なガイド部（２２）を設け、前記口部（１８）の外周であって、かつ少なくとも前記雄ねじ（１９）と前記鍔部（２０）との間の外周を、前記口部（１８）及びタンパーエビデントバンド（２７）とは異なる色が施された色彩部（２３）とする。【選択図】図１
2010076771.tif 000002
【特許請求の範囲】
【請求項１】
内周に雌ねじ（２６ａ）を有するキャップ本体（２６）と、内周下部に軸心方向に突出する係止片（２７ａ）を円周方向に所定ピッチで有するリング状のタンパーエビデントバンド（２７）とを上下に配置するとともに、両者を多数のブリッジ（２８）で連結し、ペットボトル本体（１６）の口部（１８）の外周に、前記キャップ本体（２６）の雌ねじ（２６ａ）が螺合する雄ねじ（１９）と、前記係止片（２７ａ）が係合する鍔部（２０）とを上下に設け、前記鍔部（２０）の下方に位置する口部（１８）の下部に前記タンパーエビデントバンド（２７）が下方に移動可能なガイド部（２２）を設け、前記口部（１８）の外周であって、かつ少なくとも前記雄ねじ（１９）と前記鍔部（２０）との間の外周を、前記口部（１８）及びタンパーエビデントバンド（２７）とは異なる色が施された色彩部（２３）としたことを特徴とするペットボトル。
【請求項２】
ガイド部（２２）の下端部にタンパーエビデントバンド（２７）の下方への移動を規制するフランジ部（２１）を設けたことを特徴とする請求項１記載のペットボトル。
【発明の詳細な説明】
【技術分野】
【０００１】
本発明は、飲み物が充填されるペットボトルに関するするものである。
【背景技術】
【０００２】
従来の技術として、図４、図５に示すものがあった。図４，図５において、１はプラスチック製のペットボトル本体、１０は該ペットボトル本体１の口部３を閉塞するプラスチック製のキャップである。前記ペットボトル本体１は、胴部２と口部３とが一体に形成され、口部３の外周に雄ねじ４、環状の鍔部５、及びフランジ部６が上部から下部に向かって順次形成されている。
【０００３】
前記キャップ１０はキャップ本体１１とタンパーエビデントバンド１２とを一体に有する。キャップ本体１１は、内周にペットボトル本体１の雄ねじ４と螺合する雌ねじ１１ａが形成され、タンパーエビデントバンド１２はリング状に形成され、上端が多数のブリッジ１３を介して前記キャップ本体１１の下端に連結され、その内径をペットボトル本体１の鍔部５に遊嵌する径にするとともに、内周下部に軸心方向に突出する薄肉の係止片１２ａが円周方向に所定ピッチで形成されている。
【０００４】
前記係止片１２ａは、図４に示すように、キャップ１０がペットボトル本体１の口部３に螺合された際に、鍔部５によって上方に屈曲され、該鍔部５を通過した後にその上端が鍔部５の下面に係合するようになっている。また、前記係止片１２ａが鍔部５の下面に係合した際に、前記タンパーエビデントバンド１２の下面がペットボトル本体１のフランジ部６に接近し、キャップ１０から分離された際に、鍔部５とフランジ部６とによってペットボトル本体１の口部３に上下動不能に係止されるようになっている。
【０００５】
前記従来のものは、タンパーエビデントバンド１２がキャップ本体１１から分離された際に、該タンパーエビデントバンド１２がペットボトル本体１の口部３に上下動不能に係止されていたため、キャップ本体１１をペットボトル本体１から取り外した後、該キャップ本体１１を再びペットボトル本体１の口部３に螺合させると、図５の仮想線で示すように、キャップ本体１１の下端がタンパーエビデントバンド１２の上端に接近することになる。
【０００６】
このため、ペットボトルの開封の有無の確認ができず、販売店等において品質の保全が困難になるものであった。
【特許文献１】特開２００２−３７０７６０号公報
【発明の開示】
【発明が解決しようとする課題】
【０００７】
本発明は、ペットボトルの使用の有無が目視によって容易に確認できるようにすることを目的とする。
【課題を解決するための手段】
【０００８】
請求項１に係る発明は、内周に雌ねじを有するキャップ本体と、内周下部に軸心方向に突出する係止片を円周方向に所定ピッチで有するリング状のタンパーエビデントバンドとを上下に配置するとともに、両者を多数のブリッジで連結し、ペットボトル本体の口部の外周に、前記キャップの雌ねじが螺合する雄ねじと、前記係止片が係合する鍔部とを上下に設け、前記鍔部の下方に位置する口部の下部に前記タンパーエビデントバンドが下方に移動可能なガイド部を設け、前記口部の外周であって、かつ少なくとも前記雄ねじと前記鍔部との間の外周を、前記口部及びタンパーエビデントバンドとは異なる色が施された色彩部としたものである。
請求項２に係る発明は、前記ガイド部の下端部にタンパーエビデントバンドの下方への移動を規制するフランジ部を設けたものである。
【発明の効果】
【０００９】
請求項１に係る発明は、ペットボトル本体に取り付けたキャップを螺退方向に回転させると、タンパーエビデントバンドは、その係止片がペットボトル本体の鍔部に係合して上方への移動及び回転が阻止され、ブリッジが破断してキャップ本体から分離されることになる。前記ブリッジの破断によってキャップ本体をペットボトル本体の口部から外せることができる。一方、タンパーエビデントバンドは、自重により口部のガイド部に沿って下方に移動し、その上端が前記キャップ本体の初期位置の下端から下方に離れることになる。
これにより、キャップ本体を再びペットボトル本体の口部に螺合させても、該キャップ本体の下端とタンパーエビデントバンドの上端との間に間隙が発生し、ペットボトル本体の口部外周に設けた色彩部が前記間隙から外部に露出することになる。この結果、ペットボトルの使用の有無が目視によって容易に確認でき、販売店等において、ペットボトルの保全を図ることができる。
【００１０】
請求項２に係る発明は、キャップ本体から分離したタンパーエビデントバンドを、フランジ部がガイド部の下端部で受け止めるので、分離したタンパーエビデントバンドの姿勢が安定し、キャップ本体とタンパーエビデントバンドとの間隙が周方向に略均一に発生することになる。このため、ペットボトルの向きに左右されることなく、該ペットボトルの使用の有無が目視によって容易に確認でき、販売店等において、ペットボトルの保全を図ることができる。
【発明を実施するための最良の形態】
【００１１】
以下本発明の実施の形態を図面に基いて説明する。図面において、図１は本発明の実施例を示すペットボトルの一部断面側面図、図２は図１のII-II線による部分断面図、図３は本発明によるキャップ取外しの途中を示す要部拡大側面図である。
【００１２】
図１において、１５はペットボトルであり、飲み物が充填されるペットボトル本体１６、該ペットボトル本体１６の口部１８を開閉するキャップ２５からなる。前記ペットボトル本体１６は透明のポリエチレンにより形成され、胴部１７と口部１８とを一体に有する。
【００１３】
前記口部１８は、その外周に雄ねじ１９、環状の鍔部２０及びフランジ部２１が上部から下部に向かって順次形成されるとともに、鍔部２０とフランジ部２１との間隔を大きくして両者間の外周面を、後述するタンパーエビデントバンド２７が下方に移動する際のガイド部２２とする。また、前記雄ねじ１９と鍔部２０との間の外周面に、口部１８及びタンパーエビデントバンド２７とは異なる色、例えば赤色を塗布し、この部を色彩部２３とする。該色彩部２３は鍔部２０を含めるようにしてもよい。
【００１４】
前記キャップ２５は白色のポリプロピレンにより形成され、従来と同様の構造となっている。即ち、キャップ本体２６とタンパーエビデントバンド２７とを一体に有し、キャップ本体２６は内周にペットボトル本体１６の雄ねじ１９と螺合する雌ねじ２６ａが形成されている。また、タンパーエビデントバンド２７は、図１、図２に示すように、ペットボトル本体１６の鍔部２０に遊嵌するリング状に形成され、その上端が多数のブリッジ２８を介して前記キャップ本体２６の下端に連結され、内周下部に軸心方向に突出する薄肉の係止片２７ａが円周方向に所定ピッチで形成されている。
【００１５】
前記係止片２７ａは、図１に示すように、キャップ２５がペットボトル本体１６の口部１８に螺合された際に、鍔部２０によって上方に屈曲され、該鍔部２０を通過した後にその上端が鍔部２０の下面に係合するようになっている。ここで、ペットボトル本体１６のフランジ部２１は、前記係止片２７ａが鍔部２０の下面に係合した際に、前記タンパーエビデントバンド２７の下面に対して下方に所定の間隙（ア）を保持して対面させる。
【００１６】
前記実施例によれば、キャップ本体２６を握って螺退方向に回転させると、タンパーエビデントバンド２７は、その係止片２７ａがペットボトル本体１６の鍔部２０に係合して上方への移動及び回転が阻止され、ブリッジ２８が破断してキャップ本体２６から分離されることになる。これにより、キャップ本体２６のみがペットボトル本体１６の口部１８から離脱することになる。一方、前記キャップ本体２６から分離されたタンパーエビデントバンド２７は、自重によって下方に移動し、その上端が図３に示すように、前記キャップ本体２６の初期位置の下端から下方に離れることになる。
【００１７】
これにより、キャップ本体２６を再びペットボトル本体１６の口部１８に螺合（図３の仮想線）させても、該キャップ本体２６の下端とタンパーエビデントバンド２７の上端との間に間隙（イ）が発生し、該間隙（イ）からペットボトル本体１６の口部１８の外周に設けた色彩部２３が外部に露出することになる。この結果、ペットボトル１５の使用の有無が目視によって容易に確認でき、販売店等においてペットボトル１５の保全を図ることができる。
【図面の簡単な説明】
【００１８】
【図１】本発明の実施例を示すペットボトルの一部断面側面図である。
【図２】図１のII-II線による部分断面図である。
【図３】本発明によるキャップ取外しの途中を示す要部拡大側面図である。
【図４】従来によるペットボトルの一部断面側面図である。
【図５】従来によるキャップ取外しの途中を示す要部拡大側面図である。
【符号の説明】
【００１９】
１５    ペットボトル
１６    ペットボトル本体
１７    胴部
１８    口部
１９    雄ねじ
２０    鍔部
２１    フランジ部
２２    ガイド部
２３    色彩部
２５    キャップ
２６    キャップ本体
２６ａ  雌ねじ
２７    タンパーエビデントバンド
２７ａ  係止片
２８    ブリッジ
【図１】
2010076771.tif 000003
【図２】
2010076771.tif 000004
【図３】
2010076771.tif 000005
【図４】
2010076771.tif 000006
【図５】
2010076771.tif 000007